(57)【要約】【課題】回路基板のスパークに関連して、一層正確に検査し得る絶縁検査装置及び絶縁検査方法を提供すること【解決手段】複数の配線パターン(P)が形成される回路基板(10)の絶縁検査を行う絶縁検査装置(1)であって、前記複数の配線パターンから一つの配線パターンを第一検査部(図２のT1)として選出するとともに、該記第一検査部以外の全ての配線パターンを第二検査部(同T2)として選出する選出手段(2)と、前記第一検査部と前記第二検査部との間に所定の電位差を設定するために、前記第二検査部に接続されるとともに該第二検査部に電圧を印加する電源手段(3)と、前記第一検査部に流れる電流を検出するために前記第一検査部に接続される第一電流検出手段(4)と、前記第一電流検出手段が検出する電流値を所定基準値と比較して、この比較結果により当該回路基板を良品又は不良品として判定する判定手段(7)と、を備えている。【選択図】図１
2007139797.tif 000002
【特許請求の範囲】
【請求項１】
複数の配線パターンが形成される回路基板の絶縁検査を行う絶縁検査装置であって、
前記複数の配線パターンから検査対象となる一つの配線パターンを第一検査部として選出するとともに、該記第一検査部以外の検査対象となる全ての配線パターンを第二検査部として選出する選出手段と、
前記第一検査部と前記第二検査部との間に所定の電位差を設定するために、前記第二検査部に接続されるとともに該第二検査部に電圧を印加する電源手段と、
前記第一検査部と第二検査部との間に流れる電流を検出する電流検出手段と、
前記電流検出手段が検出する電流値を所定基準値と比較して、この比較結果により当該回路基板を良品又は不良品として判定する判定手段と、を備えたことを特徴とする絶縁検査装置。
【請求項２】
請求項１記載の絶縁検査装置において、
前記不良品の判定は、前記電流値が前記基準値よりも大きい場合に、当該回路基板を不良品と判定することを特徴とする、絶縁検査装置。
【請求項３】
請求項１又は２に記載の絶縁検査装置において、
前記第二検査部は、前記第一検査部の配線パターン以外の配線パターンからなり、これらの配線パターンが全て並列接続されていることを特徴とする、絶縁検査装置。
【請求項４】
請求項１乃至３のいずれか一項に記載の絶縁検査装置において、
前記電流検出手段が、前記第一検査部と直列に接続されていることを特徴とする、絶縁検査装置。
【請求項５】
請求項１乃至３のいずれか一項に記載の絶縁検査装置において、
前記電流検出手段が、前記第二検査部と直列に接続されていることを特徴とする、絶縁検査装置。
【請求項６】
請求項１乃至５のいずれか一項に記載の絶縁検査装置において、
前記電流検出手段は、相違する2つのレンジを有する第一電流検出手段と第二電流検出手段を有することを特徴とする、絶縁検査装置。
【請求項７】
請求項１乃至６のいずれか一項に記載の絶縁検査装置において、前記絶縁検査装置は、更に、
前記第一検査部の電圧を検出する電圧検出手段と、
前記第一電流検出手段が検出する電流値を時系列に表示する表示手段とを備えることを特徴とする、絶縁検査装置。
【請求項８】
請求項１乃至７のいずれかに記載の絶縁検査装置において、
前記選出手段は、全ての前記複数の導体パターンを順次第一検査部として選出する、絶縁検査装置。
【請求項９】
請求項６乃至８のいずれか一項に記載の絶縁検査放置に於いて、
前記第一電流検出手段は、前記第一検査部に関連したスパークの発生を検出するために設けられ、
前記第二電流検出手段は、第一検査部と第二検査部との間の絶縁抵抗値を測定するために設けられている、絶縁検査装置。
【請求項１０】
請求項６乃至９のいずれか一項に記載の絶縁検査装置に於いて、
前記判定手段は、スパーク検出部を有し、前記第一電流検出手段からの測定電流値に基づいてスパーク発生を検出する、絶縁検査装置。
【請求項１１】
請求項６乃至１０のいずれか一項に記載の絶縁検査装置に於いて、
前記判定手段は、電力算出部を有し、前記第一電流検出部からの測定電流値と前記電圧検出部からの測定電圧値とに基づいて、スパークの状況を検出する、絶縁検査装置。
【請求項１２】
請求項６乃至１１のいずれか１項に記載の絶縁検査装置に於いて、
前記判定手段は、抵抗算出部を有し、前記第二電流検出部からの測定電流値と前記電圧検出部からの測定電圧値とに基づいて、抵抗値を算出する、絶縁検査装置。
【請求項１３】
複数の配線パターンが形成される回路基板の絶縁検査を行う絶縁検査方法であって、
前記複数の配線パターンから検査対象となる一つの配線パターンを第一検査部として選出するとともに、該第一検査部以外の検査対象となる全ての配線パターンを第二検査部として選出するステップと、
前記第一検査部と前記第二検査部の間に所定電位差を生じさせるため、前記第二検査部に電圧を印加するステップと、
前記第二検査部に電圧が印加された状態で、前記第一検査部と第二検査部との間に流れる電流を検出するステップと、
前記第一検査部に流れる電流値を所定基準値と比較して、この比較結果により当該回路基板を良品又は不良品として判定するステップと、を含むことを特徴とする絶縁検査方法。
【請求項１４】
複数の配線パターンが形成される回路基板の絶縁検査を行うコンピュータに、
前記複数の配線パターンから検査対象となる一つの配線パターンを第一検査部として選出するとともに、該第一検査部以外の検査対象となる全ての配線パターンを第二検査部として選出するステップと、
前記第一検査部と前記第二検査部の間に所定電位差を生じさせるため、前記第二検査部に電圧を印加するステップと、
前記第二検査部に電圧が印加された状態で、前記第一検査部と第二検査部との間に流れる電流を検出するステップと、
前記第一検査部に流れる電流値を所定基準値と比較して、この比較結果により当該回路基板を良品又は不良品として判定するステップと、
を実行させるための回路基板の絶縁検査方法プログラムを記録したコンピュータで読み取り可能な記録媒体。
【発明の詳細な説明】
【技術分野】
【０００１】
本発明は、絶縁検査装置及び絶縁検査方法に関し、より詳しくは、複数の配線パターンが形成されている回路基板の絶縁検査を迅速に且つ正確に行うことができる絶縁検査装置及び絶縁検査方法に関する。
【背景技術】
【０００２】
従来、複数の配線パターンを有する回路基板の絶縁検査は、配線パターン間に於ける絶縁状態の良否（十分な絶縁性が確保されているか否か）の判定を行うことによって、この回路基板が良品であるか不良品であるかが判定されていた。
【０００３】
このような従来の絶縁検査装置では、検査対象となる２つの配線パターン間に、比較的高い電圧（例えば、200Ｖ）を印加することによって、配線パターン間の抵抗値を算出し、この抵抗値を基に絶縁状態の良否を判定していた。
【０００４】
しかしながら、このような従来の絶縁検査装置では、所定電圧印加後に所定時間が経過した後の安定状態となった時に検査が開始されるため、所定電圧が印加されている間にスパークが発生した場合には不正確な抵抗値を算出してしまい、絶縁状態の良否を正確に判定することができない問題点を有していた。
【０００５】
このような問題点を解決するために、本発明者は、先に出願した特許文献１に開示される絶縁検査装置及び方法を創出した。
【特許文献１】特許掲載公報第3546046号（発行日：2004年7月21日）  この特許文献１に開示される絶縁検査装置及び方法では、一対の配線パターン間に所定の直流電圧を印加し、印加開始から所定電圧値までの間に変化する電圧を検出することによって、その電圧変化からスパークを検出し、スパーク発生時の電圧降下を検出することでスパーク検出しようとするものである。このように、印加電圧の立ち上がり期間の電圧変化を検出することによって、スパークを検出することができ、上記問題点を解決することができた。
【発明の開示】
【発明が解決しようとする課題】
【０００６】
しかしながら、この特許文献１には、スパークの状況等に関しての検査に関する記載は存在しない。
【０００７】
従って、スパークの状況等も考慮して、回路基板のスパークに関連して、一層正確に検査し得る絶縁検査装置及び絶縁検査方法の創出が要望されていた。
【課題を解決するための手段】
【０００８】
本発明は、回路基板のスパークに関連して、一層正確に検査し得る絶縁検査装置を提供することを目的とする。
【０００９】
更に、本発明は、回路基板のスパークに関連して、一層正確に検査し得る絶縁検査方法を提供することを目的とする。
【００１０】
上記目的に鑑みて、本発明に係る絶縁検査装置は、複数の配線パターンが形成される回路基板の絶縁検査を行う絶縁検査装置であって、前記複数の配線パターンから検査対象となる一つの配線パターンを第一検査部として選出するとともに、該記第一検査部以外の検査対象となる全ての配線パターンを第二検査部として選出する選出手段と、前記第一検査部と前記第二検査部との間に所定の電位差を設定するために、前記第二検査部に接続されるとともに該第二検査部に電圧を印加する電源手段と、前記第一検査部と第二検査部との間に流れる電流を検出する電流検出手段と、前記第一電流検出手段が検出する電流値を所定基準値と比較して、この比較結果により当該回路基板を良品又は不良品として判定する判定手段と、を備えたことを特徴とする。
【００１１】
更に、上記絶縁検査装置では、前記不良品の判定は、前記電流値が前記基準値よりも大きい場合に、当該回路基板を不良品と判定することもできる。
【００１２】
更に、上記絶縁検査装置では、前記第二検査部は、前記第一検査部の配線パターン以外の配線パターンからなり、これらの配線パターンが全て並列接続されていてもよい。
【００１３】
更に、上記絶縁検査装置では、前記電流検出手段が、前記第一検査部と直列に接続されていてもよい。
【００１４】
更に、上記絶縁検査装置では、前記電流検出手段が、前記第二検査部と直列に接続されていてもよい。
【００１５】
更に、上記絶縁検査装置では、前記電流検出手段は、相違する2つのレンジを有する第一電流検出手段と第二電流検出手段を有していてもよい。
【００１６】
更に、上記絶縁検査装置では、前記絶縁検査装置は、更に、前記第一検査部の電圧を検出する電圧検出手段と、前記第一電流検出手段が検出する電流値を時系列に表示する表示手段とを備えていてもよい。
【００１７】
更に、上記絶縁検査装置では、前記選出手段は、全ての前記複数の導体パターンを順次第一検査部として選出してもよい。
【００１８】
更に、上記絶縁検査装置では、前記第一電流検出手段は、前記第一検査部に関連したスパークの発生を検出するために設けられ、前記第二電流検出手段は、第一検査部と第二検査部との間の絶縁抵抗値を測定するために設けられていてもよい。
【００１９】
更に、上記絶縁検査装置では、前記判定手段は、スパーク検出部を有し、前記第一電流検出手段からの測定電流値に基づいてスパーク発生を検出してもよい。
【００２０】
更に、上記絶縁検査装置では、前記判定手段は、電力算出部を有し、前記第一電流検出部からの測定電流値と前記電圧検出部からの測定電圧値とに基づいて、スパークの状況を検出してもよい。
【００２１】
更に、上記絶縁検査装置では、前記判定手段は、抵抗算出部を有し、前記第二電流検出部からの測定電流値と前記電圧検出部からの測定電圧値とに基づいて、抵抗値を算出してもよい。
【００２２】
更に、本発明に係る絶縁検査方法は、複数の配線パターンが形成される回路基板の絶縁検査を行う絶縁検査方法であって、前記複数の配線パターンから検査対象となる一つの配線パターンを第一検査部として選出するとともに、該第一検査部以外の検査対象となる全ての配線パターンを第二検査部として選出するステップと、前記第一検査部と前記第二検査部の間に所定電位差を生じさせるため、前記第二検査部に電圧を印加するステップと、前記第二検査部に電圧が印加された状態で、前記第一検査部と第二検査部との間に流れる電流を検出するステップと、前記第一検査部に流れる電流値を所定基準値と比較して、この比較結果により当該回路基板を良品又は不良品として判定するステップとを含んでいる。
【００２３】
更に、本発明に係る記録媒体は、コンピュータに、前記複数の配線パターンから検査対象となる一つの配線パターンを第一検査部として選出するとともに、該第一検査部以外の検査対象となる全ての配線パターンを第二検査部として選出するステップと、前記第一検査部と前記第二検査部の間に所定電位差を生じさせるため、前記第二検査部に電圧を印加するステップと、前記第二検査部に電圧が印加された状態で、前記第一検査部と第二検査部との間に流れる電流を検出するステップと、前記第一検査部に流れる電流値を所定基準値と比較して、この比較結果により当該回路基板を良品又は不良品として判定するステップと、を実行させるための回路基板の絶縁検査方法プログラムを記録したコンピュータで読み取り可能な記録媒体である。
【発明の効果】
【００２４】
本発明によれば、回路基板のスパークに関連して、一層正確に検査し得る絶縁検査装置を提供することができる。
【００２５】
更に、本発明によれば、回路基板のスパークに関連して、一層正確に検査し得る絶縁検査方法を提供することができる。
【発明を実施するための最良の形態】
【００２６】
以下、本発明に係る絶縁検査装置及び絶縁検査方法の実施形態について、添付の図面を参照しながら説明する。なお、図中、同じ要素に対しては同じ符号を付して、重複した説明を省略する。
【００２７】
この出願書類に記載される用語「回路基板」は、プリント配線基板に限らず、例えば、フレキシブル基板、多層配線基板、液晶ディスプレイやプラズマディスプレイ用の電極板及び半導体パッケージ用のパッケージ基板やフィルムキャリアなど種々の配線が施される基板を総称している。即ち、回路基板には、絶縁検査の対象となり得る全ての基板が含まれる。
【００２８】
［絶縁検査装置］
図１は、本発明に係る絶縁検査装置１の概略構成の一例を説明する図である。ここで、絶縁検査装置１は、図１に示された要素から、検査対象である回路基板１０を除いた各要素からなる。即ち、絶縁検査装置１は、制御手段９と、表示手段(モニタ)８と、スイッチ群ＳＷｓと、電源手段３と、第一電流検出手段４と、第二電流検出手段５と、電圧検出手段６とを備えている。この制御手段９は、選出手段（「ＳＷ切換制御手段」ともいう。）２と、判定手段７と、記憶手段１０とを有している。制御手段９は、通常のコンピュータで構成され、選出手段２及び判定手段７はそのＣＰＵからなり、記憶手段１０は、この絶縁検査方法を実行するコンピュータプログラムを記憶するＲＯＭや作業メモリＲＡＭ等からなる。スイッチ群ＳＷｓは、一対のスイッチＳＷ1とスイッチＳＷ2の組を複数組有している。
【００２９】
一方、検査対象である回路基板１０には、導通パターンＰ1〜Ｐ5（「Ｐ」と総称する。）が形成されている。図面を簡単にして理解を容易にするため、図にはパターンＰとして、直線状の配線パターンＰ1，Ｐ2、Ｔ字状の配線パターンＰ3及び十字状の配線パターンＰ4，Ｐ5の５種類の配線パターンのみを例示する。ここで、良品である回路基板１０は、パターンＰ1〜Ｐ5の各々が電気的に夫々独立状態にあり、隣接パターン間で所定の絶縁抵抗を保持している。
【００３０】
絶縁検査装置１は、スイッチ群ＳＷｓを構成する各ＳＷ1とＳＷ2の組に接続されたコンタクトピンＣＰを複数本有し、各コンタクトピンが回路基板１０の各配線パターンＰ1〜Ｐ5に対して夫々電気的に接触して、各配線パターンの絶縁状態又は導通状態の検査を可能にしている。
【００３１】
絶縁検査装置１の実行する検査の基本原理は、回路基板１０のパターンＰを所定の規則に従って第一検査部Ｔ1と第二検査部Ｔ2として選出し、第二検査部Ｔ2に対し所定電圧を印加して第一検査部Ｔ1と第二検査部Ｔ2との間に所定電位差を生じさせた状態で第一検査部Ｔ1に流れる電流を検出することにより、スパーク関連して一層正確な検査を実行するものである。ここで、第一検査部は、回路基板１０が有する複数の配線パターン（図では、Ｐ1〜Ｐ5）から選出された検査対象となる一つの(単一の)配線パターン（「被検査パターン」ともいう。）からなる。第二検査部Ｔ2は、第一検査部Ｔ1以外の検査対象となる残り全ての配線パターン（「被検査パターン以外の全パターン」ともいう。）からなる。検査は、回路基板１０が有する複数の配線パターンを第一検査部として順次選出してその都度第二検査部との間で絶縁検査を行い、全ての配線パターンを第一検査部として選出して検査したときに終了する。
【００３２】
以下、絶縁検査装置１を構成する各要素に関して説明する。選出手段２は、回路基板１０が有する複数の配線パターンの中から、検査対象となる一つの配線パターンを第一検査部（被検査パターン）Ｔ1として選出する。同時に、第一検査部Ｔ1である配線パターン以外の検査対象となる残り全ての配線パターンを第二検査部Ｔ2として選出する。この状態で、第一検査部Ｔ1と第二検査部Ｔ2との間で絶縁検査を行った後、未だ第一検査部Ｔ1として選出されていないパターンの中から検査対象となる一つの配線パターンを第一検査部Ｔ1として選出して、検査対象となる残り全ての配線パターンを第二検査部Ｔ2として選出する。以下、このような段階を繰り返す。
【００３３】
具体的な選出方法は、複数のスイッチ素子ＳＷ1，ＳＷ2を有するスイッチ群ＳＷｓと、各スイッチ素子を切換制御する選出手段（ＳＷ切換制御手段）２とを用いて、選出手段２による各スイッチ素子ＳＷ1，ＳＷ2のオン・オフ切換動作によって、複数の配線パターンを第一検査部Ｔ1又は第二検査部Ｔ2のいずれかに選出することにより行っている。
【００３４】
例えば、図２Ａでは、スイッチ群ＳＷｓの内の一番上の配線パターンＰ1が第一検査部（被検査パターン）Ｔ1として選出され、配線パターンＰ1以外の配線パターンＰ2〜Ｐ5が第二検査部（被検査パターン以外の全パターン）Ｔ2として選出されている様子を示している。図２Ｂでは、配線パターンＰ4が第一検査部Ｔ1として選出され、配線パターンＰ4以外の配線パターンＰ1〜Ｐ3，Ｐ5が第二検査部Ｔ2として選出されている様子を示している。
【００３５】
各配線パターンＰに電気的に接続された各コンタクトピンＣＰは、スイッチＳＷ1を介して電源手段３に接続可能であり、スイッチＳＷ2を介して第一電流検出手段４，第二電流検出手段５及び電圧検出手段６に接続可能となっている。
【００３６】
図２Ａでは、第一検査部Ｔ1として選出された配線パターンＰ1は、スイッチＳＷ2がＯＮになることにより、第一電流検出手段４及び第二電流検出手段５に接続され、更に電圧検出手段６に接続される。第二検査部Ｔ2として選出された配線パターンＰ2〜Ｐ5は、各々、スイッチＳＷ1がＯＮになることにより、電源手段３に接続される。第一電流検出手段４の前段にスイッチＳＷａ、電圧検出手段６の前段にスイッチＳＷｖを設け、制御手段９の制御の下、夫々の検出時に該当スイッチをＯＮにするようにしてもよい。
【００３７】
第二検査部Ｔ2として選出された配線パターンＰ2〜Ｐ5は、各ＳＷ1を介して、相互に電気的に並列接続される。このように並列接続されることにより、第二検査部Ｔ2の配線パターンＰ2〜Ｐ5全てを等電位とすることができ、複雑で大きな面積を有する配線パターンであっても配線パターン同士でのスパーク発生を防止することができる。
【００３８】
この選出手段２の制御の下に行われる配線パターンＰの選出は、第一検査部Ｔ1として一度選出された配線パターンＰ1は、それ以降の第一検査部Ｔ1として再度選出されることがないように設定されている。このため、第一検査部Ｔ1は、全ての配線パターンＰを、一つずつ順次選出することになる。
【００３９】
電源手段３は、第一検査部Ｔ1と第二検査部Ｔ2との間に所定の電位差を設定するために、第二検査部Ｔ2に各ＳＷ1を介して所定電圧を印加することができるよう接続されている。この電源手段３により第二検査部Ｔ2の電位を変化させることになり、第二検査部Ｔ2は第一検査部Ｔ1と相違する電位を有することになる。
【００４０】
この電源手段３は、所定の電位差を第一検査部Ｔ1と第二検査部Ｔ2との間に発生されることができればよく、直流電源であっても交流電源であっても特に限定されるものではない。しかし、後述する第一電流検出手段４に於ける電流値の変化をより正確に検出するために、可変直流電源であることが好ましい。
【００４１】
この電源手段３が印加する所定の電位差は、特に限定されないが、1〜10V/μSの電位差を生じるように設定されることが好ましい。この範囲の電位差を用いることにより、短時間で且つ正確にスパークを検出することができるようになるからである。
【００４２】
図２Ａで示される如く、第一電流検出手段４は、スイッチＳＷ2，コンタクトピンＣＰを介して第一検査部（配線パターンＰ1）Ｔ1に直列に接続され、第一検査部Ｔ1の電流を検出する。第一電流検出手段４は、電流値を測定することができる電流計を利用する。第一電流検出手段４が検出する電流は、第二検査部Ｔ2に所定の電圧が印加されることによって第一検出部Ｔ1と第二検出部Ｔ2間に電位差が生じ、この電位差の影響を受けて第一検出部Ｔ1に流れる電流である。
【００４３】
このため、第一電流検出手段４に於いて測定される電流値が、所定値以上の電流値又は所定値以上の電流値の変化を示した場合、第一検出部Ｔ1と第二検出部Ｔ2間にスパークが発生したことを示すことになる。つまり、この第一電流検出手段４が測定する電流値により、両検査部間のスパークを検出が可能となる。
【００４４】
第一電流検出手段４が第一検査部（被検査パターン）Ｔ1側に接続されているため、第二検査部（被検査パターン以外の全ての配線パターン）Ｔ2とコンタクトピンＣＰとの接触不良に起因するスパークが、第一電流検出手段で検出されることはない。また、第一検査部Ｔ1には電圧の印加は無く、更にコンタクトピンＣＰ，スイッチＳＷ2，第一電流検出手段４，第二電流手段を介して接地されているため、第一検査部（被検査パターン）Ｔ1とコンタクトピンＣＰとの間で接触不良に起因するスパークは発生しない。
【００４５】
さらに、所定の電圧が印加された第二検査部（被検査パターン以外の全ての配線パターン）Ｔ2とこれら配線パターン近傍の金属枠等の間で発生するスパーク（本出願書類では「疑似スパーク」ともいう。）の発生があった場合でも、第一検査部Ｔ1側には電流が流れないため、絶縁検査装置１は、このような擬似スパークの検出は行わない。このように、絶縁検査装置１は、第一検査部Ｔ1と第二検査部Ｔ2間以外で発生するスパークの発生を防止し、また発生したとしてもこれを検出することはない。
【００４６】
この第一電流検出手段４は、スパークした場合の電流値を測定することができれば、その測定性能は特に限定されないが、0.1〜10mAの電流値を検出することができることが好ましい。尚、この第一電流検出手段４が検出する電流値は、後述する判定手段７へ送られることになる。
【００４７】
第二電流検出手段５は、第一検査部Ｔ1に直列に接続されてこれに流れる電流を検出する。第二電流検出手段５は、上記の第一電流検出手段４と同様に第一検査部Ｔ1に流れる電流を測定することができる点に於いて共通であるが、第一電流検出手段５に比べて、より微小な電流を測定する性能を有している点で相違する。
【００４８】
この第二電流検出手段５を有することによって、第一検査部Ｔ1と第二検査部Ｔ2間に流れる電流値を確実に測定することができるので、後述する電圧検出手段６を利用して第一検査部Ｔ1及び第二検査部Ｔ2間の抵抗値を算出することができる。
【００４９】
この第二電流検出手段５が有する電流測定能力は、上記の如き第一及び第二検査部Ｔ1，Ｔ2間の抵抗値を算出するために必要な電流値を測定することができれば、特に限定されず、0.1〜20μAの電流値を検出することができることが好ましい。この第二電流検出手段５が測定する電流値は、判定手段７へと送られる。
【００５０】
第一電流検出手段４は、主として、第一検査部（被検査パターン）に関連したスパーク発生を検出するために設けられ、第二電流検出手段５は第一検査部と第二検査部との間の絶縁抵抗値を測定するために設けられている。しかし、使用する電流計の性能によっては、１個の電流計により、第一電流検出手段４と第二電流検出手段５とを兼用することもできることを承知されたい。
【００５１】
電圧検出手段６は、第一検査部Ｔ1に接続されて第一検査部Ｔ1の電圧を検出する。この電圧検出手段６は、第一検査部Ｔ1に係る電圧値を測定することのできる電圧計を利用することができる。この電圧検出手段６が測定する電圧値は、判定手段７へと送られる。
【００５２】
判定手段７は、第一電流検出手段４及び第二電流検出手段５からの測定電流値、並びに電圧検出手段６からの測定電圧値を夫々受け取り、これらの測定値を基に当該回路基板が不良品であるか判定する。図３は判定手段７の機能を示す概略構成図である。判定手段７は、スパーク検出部７１と、電力算出部７３と、抵抗算出部７４と、絶縁判定部７５と、送信部７２とを有している。
【００５３】
この判定手段７が行う判定は、第一電流検出手段４からの電流値を基にして、予め設定された基準値と比較し、その比較結果に応じて良品又は不良品の判定を行うスパーク検出部７１を備えることにより行われる。このスパーク検出部７１が行う具体的な比較方法として、例えば、次の三つの方法が挙げられる。
【００５４】
第一の方法として、第一電流検出手段４より検出される電流値と基準値を直接比較し、検出された電流値が所定値よりも大きい場合に、スパーク発生として判定する方法である。
【００５５】
例えば、図４では、破線で示される電流値の変化が良品回路基板に於ける変化を示し、実線で示される電流値の変化が検査対象の不良回路基板に於ける変化を示しており、基準値Ａを超えた部分がスパーク発生箇所であることを示している。この第一の方法を利用する場合の基準値Ａは、特に限定されないが、0.1〜1.0mAに設定される。
【００５６】
尚、この第一の方法により判定する場合には、電源手段３は可変電圧電源とし、適当な回路を設け、電圧を印加した瞬間の電流値の上昇を所定値よりも超過しないように制御することが好ましい。この判定手段７は、例えば、第一電流検出手段４及び第二電流検出手段５からの測定電流値（アナログ値）をデジタル電流データに逐次変換するＡ−Ｄ変換回路（図示せず。）と、このデジタル電流データを基準値Ａのデジタル基準値データとを入力し、測定デジタル電流データがデジタル基準値データを超えたときに論理高“１”を出力する比較回路（図示せず。）から構成することが出来る。
【００５７】
第二の方法として、予め良品回路基板を使用して電流値の変化を基準電流変化値Ｂとして求めておき、検査対象の不良回路基板を使用した場合の電流値と基準電流変化値Ｂとの差分を求め、その差分が予め設定された許容範囲内にない場合にスパークとして判定する方法である。
【００５８】
例えば、図５Ａでは、破線で示される電流値の変化が良品の回路基板に於ける電流値の変化（基準電流変化値Ｂ）を示し、実線で示される電流値の変化が不良品の回路基板に於ける電流値の変化を示している。図５Ｂは、図５Ａで示される測定電流値と基準電流変化値Ｂとの差分を示しており、許容範囲Ｃを超える差分が表れる箇所Ａがスパーク発生箇所を示している。この第二の方法を利用する場合の許容範囲Ｃは、特に限定されないが、±0.1〜1.0mAに設定される。
【００５９】
この判定手段７は、例えば、検査対象の回路基板からの測定電流値（アナログ値）を逐次デジタル電流データに変換するＡ−Ｄ変換回路（図示せず。）と、適当なメモリ（図示せず。）に予め蓄積してある基準電流変化値Ｂのデジタル基準電流変化値データと、デジタル電流データとメモリから読み出された対応するデジタル基準電流変化値データとを入力してその差分データを出力する減算回路（図示せず。）と、この減算回路の後段において、差分データがデジタル許容範囲Ｃデータを超えたときに論理高“１”を出力する比較回路（図示せず。）とを用いて構成することが出来る。
【００６０】
第三の方法としては、電源手段３により第一検査部Ｔ1に電圧を印加してから、所定時間毎の電流の変化を算出し、電流値の減少変化から増加変化（電流の変化の傾きがゼロから正へ変化した場合に、スパークとして判定する方法である。
【００６１】
例えば、図６では、破線で示される電流値の変化が良品回路基板に於ける変化を示し、実線で示される電流値の変化が検査対象の不良回路基板に於ける変化を示している。破線示される良品の電流値の変化は右下がりの一途を辿るが、実線で示される不良品の電流値の変化は電流値の増加する時刻ｔ1が見受けられ、この箇所Ａがスパーク発生箇所であることを示している。
【００６２】
例えば、時刻ｔ1と時刻ｔ2間に於いて、良品では電流値が減少（直前電流値に対する変化量がマイナス）の一途を辿っているが、不良品回路基板では時刻ｔ1で電流値が増加（直前電流値に対する変化量がプラス）してスパークが発生したことが理解される。この第三の方法を利用する場合の判断基準は、電流値が増加する場合を検出するため電流値の変化がゼロ以上であればよいし、或いは急激な電流値の変化のみを検出するように特定の正の変化値に設定しておくこともできる。
【００６３】
この判定手段７は、例えば、検査対象の回路基板からの測定電流値（アナログ値）をデジタル電流データに逐次変換するＡ−Ｄ変換回路（図示せず。）と、このデジタル電流データを微分処理する微分回路（図示せず。）と、微分回路の出力データが正負又は所定の変化値を越えるか否かを判定するための判定回路又は比較回路（図示せず。）によって構成することが出来る。
【００６４】
再び図３を参照すると、判定手段７は、上記の如きスパーク検出部７１がスパークを検出した場合にスパーク検出信号を送信する送信部７２を備えている。この送信部７３は、後述する表示手段８に於いてスパーク検出を目視できるようにしてもよいし、アラーム音等を利用して聴覚で認識できるようにしてもよい。
【００６５】
判定手段７は、電力算出部７３を備え、第一電流検出手段４の電流値と電圧検出手段６の電圧値とから、スパーク発生時の電力の推移を算出している。この電力算出部７３は、操作部を設け、予め利用者によりその算出方法を設定しておいてもよく、スパークを検出した際に自動的に算出するように設定してもよい。
【００６６】
電力算出部７３は、例えば、適当なメモリ容量の先入れ先出しメモリＦＩＦＯ（図示せず。）を用いて、適当なＡ−Ｄ変換器（図示せず。）を介して得られる第一電流検出手段４からのデジタル電流データと電圧検出手段６からのデジタル電圧データとを逐次蓄積し、スパーク発生から所定時間でこれらのデータ蓄積をストップする手段（図示せず。）を設けることにより、スパーク発生直後の所定時間の電流データ及び電圧データを確保することができる。この電力算出部７３を備えることにより、スパーク発生直後の所定時間の電流データ及び電圧データ並びに選出手段２がどの配線を被検査パターンとして選出していたかのデータ等を利用して、スパーク検出時刻，被検査パターン，電力の時間的推移，スパークの大きさ，絶縁破壊等の状況を知ることができる。
【００６７】
また、この判定手段７は抵抗算出部７４を備え、第二電流検出手段５と電圧検出手段６より第一検査部Ｔ1と第二検査部Ｔ2と間の抵抗値を算出する。抵抗算出部７４は、例えば、第二電流検出手段５からの測定電流値と電圧検出手段６からの測定電圧値とを、適当なＡ−Ｄ変換器（図示せず。）によりデジタル電流値とデジタル電圧値に変換し、除算回路（図示せず。）を利用して、抵抗値データを求めることが出来る。
【００６８】
このように抵抗算出部７４と絶縁判定部７５を備えることにより、スパーク検出検査を行うと同時に絶縁抵抗算出を行うことができる。判定手段７は、第一検査部Ｔ1と第二検査部Ｔ2が絶縁状態にあるかどうかの判定を行う。判定手段７は、例えば、抵抗値データと基準抵抗値データを入力する比較器（図示せず。）を用いて、判定することができる。
【００６９】
尚、これらの電力算出部７３，抵抗算出部７４及び絶縁判定部７５の算出結果は、送信部７２へ送られて表示手段８で表示される。
【００７０】
表示手段８は、第一電流検出手段４，第二電流検出手段５，電圧検出手段６，電力算出部７３，抵抗算出部７４及び絶縁判定部７５に於いて検出又は算出された電流値，電圧値，抵抗値，電力値等と、スパークの有無や絶縁の良否の判定結果と回路基板の良品や不良品の判定結果を画面上に表示することができる。また、この表示手段８は、上記の如き数値や状態を時系列的にグラフや表にして表示することもできる。このように時系列的に表示することにより、絶縁検査装置１の利用者が目視してスパークの発生状況や大きさを確認することができるようになるからである。
【００７１】
以上が本発明にかかる絶縁検査装置１の実施形態の構成の説明である。
【００７２】
［絶縁検査方法］
図７は、本発明に係る絶縁検査装置の検査方法の一例を示すフローチャートである。この検査方法を実行するコンピュータプログラムは、例えば、記憶手段１０に蓄積されており、この絶縁検査は、制御手段９の制御の下に実行される。
【００７３】
まず、検査対象である回路基板を本絶縁検査装置１に設置し、スパークを検出するための所定値が設定される（Ｓ１）。ここでは、スパーク検出方法として上述した第二の方法を例示して説明するが、この方法に限定するものではない。尚、第二の方法を利用するため、良品による電流変化値である基準電流変化値Ｂのデジタル基準電流変化値データ及び良品と判定するためのデジタル許容範囲Ｃデータを、記憶手段１０に設定しておく。
【００７４】
対象となる回路基板の検査が開始される。
【００７５】
まず、選出手段２により、検査対象の複数の配線パターンより第一検査部（被検査パターン）Ｔ1となる配線パターンを選出するとともに、残りの配線パターンを第二検査部Ｔ2として選出する（Ｓ２）。第一検査部は、ＳＷ2を介して第一及び第二電流検出手段に接続される。第二検査部を構成するパターンは、ＳＷ1を介して電源手段３に夫々接続される。このとき、第二検査部Ｔ2を形成する複数の配線パターンは、相互に並列接続されている。
【００７６】
回路基板の配線パターンが第一検査部Ｔ1と第二検査部Ｔ2との２つのグループに選出された後、電源手段３により所定電圧が第二検査部Ｔ2に印加される（Ｓ３）。
【００７７】
この状態で、第一検査部Ｔ1に接続されている第一電流検出手段４、第二電流検出手段５及び電圧検出手段６は、第一検査部Ｔ1の電流及び電圧を夫々測定する（Ｓ４）。これら第一電流検出手段４、第二電流検出手段５及び電圧検出手段６が測定する電流値及び電圧値は判定手段７へ送られる。
【００７８】
判定手段７のスパーク検出部７１は、第一電流検出手段３により測定される電流値と所定基準値とに基づき、その差分データを算出する（Ｓ５）。
【００７９】
その差分データが許容範囲Ｃデータに存在しているか否が判定される（Ｓ６）。
【００８０】
この差分データが許容範囲Ｃデータ内である場合、スパークなし（スパーク検出せず）として判定され（Ｓ７）、一方、差分データが許容範囲Ｃデータ外である場合、スパークが検出されたと判定される（Ｓ８）。
【００８１】
ステップＳ８で、スパーク有ると判定された場合、当該回路基板は不良品として判定される（Ｓ１０）。スパーク発生の場合には、送信部７２により表示手段８上で表示されることになる。
【００８２】
スパークが検出されない場合には、第二電流検出手段５と電圧検出手段６からの電流値と電圧値を利用して、判定手段７の抵抗算出部７４によって、第一検査部Ｔ1と第二検査部Ｔ2間の抵抗が算出される。尚、このフローチャートでは、スパーク検査の終了毎に絶縁検査を行う検査工程を示しているが、絶縁検査をスパーク検査の前に行ってもよいし、スパーク検査と絶縁検査と同時に行う検査工程でもよい。
【００８３】
この抵抗算出部７４により算出された抵抗値データが絶縁判定部７５へ送られる。この絶縁判定部７５は、算出された抵抗値データと予め設定される基準抵抗値データの比較を行い、絶縁状態の判定を行う（Ｓ９）。算出された抵抗値データが基準抵抗値データ以上であれば絶縁状態であると判定し、当該回路基板は良品と判定され（Ｓ１１）、算出された抵抗値データが基準抵抗値データ未満であれば絶縁状態でないと判定され（Ｓ１２）、当該回路基板を不良品として判定する（Ｓ１０）。
【００８４】
不良品と判定された場合は、スパーク検出時と同様に、送信部７２により表示手段８上で表示される。
【００８５】
スパーク検査と絶縁検査の両方が完了すると、次の第一検査部Ｔ1と第二検査部Ｔ2が選出手段２により選出され、全ての配線パターンが第一検査部Ｔ1として検査が行われるまで繰り返し検査が行われる（Ｓ１３）。
【００８６】
尚、表示手段８上でスパーク発生により不良品である旨が通知されると、利用者により又は自動的に、第一電流検出手段４から得られた電流値データと電圧検出手段６から得られた電圧値データとから、判定手段７の電力算出部７３が電力値データを算出する。このとき、算出された電力値データは、表示手段８上にて表示される。
【００８７】
このため、本絶縁検査装置１の利用者は、スパーク発生時に於いて即座にスパークの大きさ等を目視により確認することが可能となる。以上が、本発明に係る絶縁検査方法の実施形態の説明である。
【００８８】
［本実施形態に係る絶縁検査装置及び絶縁検査方法の利点］
(1)従来の絶縁検査装置では、例えば、配線パターンとこの配線パターンに接触されるプローブ（コンタクトピンＣＰ）が接続不良であった場合に、これら配線パターンとプローブ間でスパークが発生して電圧降下が発生した際に、回路基板に於ける配線パターン間のスパークとして検出される場合があった。また、配線パターンとこの配線パターン近傍の金属枠間でスパークが発生していた場合にも同様に、回路基板に於ける配線パターン間のスパークとして検出される場合があった。つまり、回路基板上で発生する全てのスパークを、配線パターン間で発生したスパークとして検出してしまう問題点を有していた。
【００８９】
本実施形態の絶縁検査装置及び絶縁検査方法によれば、第二検査部にのみ電圧を印加することになるので、電位差が第一検査部と第二検査部間にのみ生じることになる。第一検査部に接続される電流検出手段は、この第一検査部と第二検査部間に流れる電流のみを検出することになり、第一検査部と第二検査部中のいずれかの配線パターンとの間のスパークのみを検出する。
【００９０】
(2)従来の絶縁検査装置では、例えば、装置を形成するための回路素子の都合上、印加電圧の急激な変化にともなって、電圧降下を検出することができなくなるため、どうしても印加電圧を所定電圧値まで立ち上げる検査時間を十分に長く設定する必要があった。このため、結果的にスパーク検出を行う必要な検査時間が長くなるという結果をもたらしていた。
【００９１】
本実施形態の絶縁検査装置及び絶縁検査方法によれば、電流値が所定値よりも大きい場合にスパークが発生し、不良品であると判定するので、より短時間で効率良く判定することを可能にする。
【００９２】
更に、本実施形態の絶縁検査装置及び絶縁検査方法によれば、、絶縁検査装置が、第一電流検出手段と異なるレンジを有する第二電流検出手段を有するので、第一電流検出手段でスパークを検出し、第二電流検出手段でリーク電流を検出することが可能となる。このため、絶縁検査とスパーク検出検査を同時に行うことが可能となり、検査時間の更なる短縮が可能となる。
【００９３】
(3)従来の絶縁検査装置では、例えば、スパーク検出方法に関し、電圧変化の推移を観察して電圧降下を検出することによりスパーク検出を行うのみで、発生したスパークの状況や大きさを解析することはできなかった。
【００９４】
本実施形態の絶縁検査装置及び絶縁検査方法によれば、絶縁検査装置が電流検出手段，電圧検出手段及び表示手段を有するので、スパークを検出した場合の電流及び電圧の変化の様子を表示装置で表示することが可能となるとともに、スパークの大きさ（電力）を算出して表示することも可能となる。このため、利用者にスパークの状況を視覚的に表すことができ、スパークの状態を容易に把握させることを可能にする。
【００９５】
(4)特に近年では、回路基板の複雑化が進み、配線パターンの複雑化が進んでいる。この配線パターンの複雑化に伴って、配線パターン自体の面積（ネットの大きさ）が増加している。このことにより、配線パターンに電圧を印加すると、配線パターン自らが電荷を蓄えてしまい、スパークを発生し易くなっていた。さらに、回路基板自体の微細化のため、回路基板自体に内在する異物によるスパークも発生し易くなっていた。
【００９６】
本実施形態の絶縁検査装置及び絶縁検査方法によれば、配線パターンが複雑であっても、また配線パターン自体が電荷を帯びていたとしても第一電流検出手段はその影響を受けることがなく、配線パターン間のみの電流を測定することになる。
【００９７】
更に、本実施形態の絶縁検査装置及び絶縁検査方法によれば、第二検査部は、第一検査部の配線パターン以外の複数の該配線パターンが全て並列接続されて形成されているので、第二検査部間でスパークが発生することを防止する。このため、検査対象以外の配線パターンに於けるスパーク発生を防止することを可能にする。
【００９８】
更に、本実施形態の絶縁検査装置及び絶縁検査方法によれば、第二検査部にのみ電圧を印加することになるので、電位差が第一検査部と第二検査部間にのみ生じることになる。このため、第一検査部に接続される第一電流検出手段は、この第一検査部と第二検査部間に流れる電流のみを検出することになり、第一検査部と第二検査部中のいずれかの配線パターンとのスパーク発生を検出することを可能にする。このため、検査対象となる配線パターン間以外のスパーク（擬似スパーク）が発生しても、スパークとして検出することを防止することができるとともに、配線パターンが複雑であっても配線パターン自体で電荷を帯びても影響を受けることがない。
【００９９】
このように、本実施形態の絶縁検査装置及び絶縁検査方法は、複数の配線パターンが形成される回路基板の絶縁検査を行う装置と方法であって、複雑な配線パターンであっても配線パターン間のスパークをより正確に且つそのスパークの状況を的確に検出することができ、また、従来に比して検査時間を短時間にすることのできる。
［代替例等］
以上、本発明の係る絶縁検査装置及び絶縁検査方法の実施形態を説明したが、本発明はこの実施形態に拘束されない。当業者が容易になしえる追加、削除、改変等は、本発明に含まれることを承知されたい。
【０１００】
(1)回路基板１０に形成されたパターンＰとして、５種類の配線パターンを例示している。しかし、配線パターンＰは、これら５種類に限定されるものではないし、配線パターンの種類，本数，位置，大きさ，形状等も図示の配線パターンに限定されない。回路基板１０は、配線パターンが経由孔（ビアホール）を経由して複数層に拡がる多層基板も対象とする。
【０１０１】
(2)制御手段９の選出手段９，判定手段７，記憶手段１０等に於いて、夫々の構成回路を例示したが、これらに限定されない。個々の手段の目的を達成し得るその他の回路を使用することが出来る。
【０１０２】
(3)回路基板１０に形成されたパターンＰを、単一の第一検査部（被検査パターン）と第一検査部以外の第二検査部（被検査パターン以外の全ての配線パターン））として説明した。しかし、絶縁検査装置は、被検査パターンと、これに隣接して絶縁不良を発生するパターンとの間で行う検査である。この目的を達成できる範囲で、「被検査パターン以外の全ての配線パターン」は弾力的に解釈すべきである。
【０１０３】
即ち、第二検査部を「被検査パターン以外の全ての配線パターン」としてあるが、被検査パターンに隣接して絶縁不良を発生するおそれのないパターンを第二検査部から除いたとしても、本発明の対象であることを承知されたい。例えば、回路基板１０の配線が、ブロックに分割されていて、ブロック間ではパターン相互が分離されて絶縁不良を発生するおそれのない場合は、単一のブロック内で第一検査部及び第二検査部が定義される。
【０１０４】
同様に、隣接パターンに接近するおそれのないパターンを除いて、絶縁検査する場合もこれらのパターンは、第一検査部及び第二検査部の対象とならない。
【０１０５】
更に、本発明の技術的範囲から逃れるために、何らの目的又は効果無く、第二検査部から何本かのパターンを外すようにしても、このような実施品は本発明の対象である。
【０１０６】
(4)更に、本発明の対象には、コンピュータ９にこの絶縁検査方法を実行させるコンピュータプログラム及びこれを記録した記録媒体も含まれる。
【０１０７】
(5)各検査段階で、第二検査部Ｔ2に対して、電源手段３から所定電圧が印加される。従って、各検査段階で、第二検査部Ｔ2に充電された電荷を放電する段階をステップを設けてもよい。
【０１０８】
(6)絶縁検査装置１の実行する検査は、回路基板１０のパターンＰを所定の規則に従って第一検査部Ｔ1と第二検査部Ｔ2として選出し、第二検査部Ｔ2に対し所定電圧を印加して第一検査部Ｔ1と第二検査部Ｔ2との間に所定電位差を生じさせた状態で第一検査部Ｔ1に流れる電流を検出することにより絶縁検査を実行している。ここで、第一検査部は、選出された検査対象となる単一の配線パターンからなり、第二検査部Ｔ2は、第一検査部Ｔ1以外の全ての配線パターンからなる。検査は、各配線パターンを第一検査部として順次選出して、その都度第二検査部との間で絶縁検査を行い、全ての配線パターンを第一検査部として選出して検査したときに終了する。
【０１０９】
このため、単一の配線パターンからなる第一検査部Ｔ1に流れる漏洩電流を検出するため、図１，図２Ａ及び図２Ｂでは、単一の配線パターンＴ1と接地（アース）箇所との間に、第一電流検出手段４及び第二電流検出手段５を接続している。
【０１１０】
しかし、第一電流検出手段４及び第二電流検出手段５の接続箇所は、これに限定されない。単一の配線パターンからなる第一検査部Ｔ1に流れる漏洩電流は、電源手段３から第二検査部Ｔ２に対して所定の電圧が印加され、第一検査部Ｔ1に絶縁不良が有る場合に生じる漏洩電流である。第一検査部Ｔ1に絶縁不良が無い場合には、電源手段３から第二検査部Ｔ２に対して所定の電圧が印加されても、第一検査部Ｔ1には電流が流れない。
【０１１１】
従って、第一電流検出手段４及び第二電流検出手段５のいずれか一方又は両方を、電源手段３と第二検査部Ｔ２の間に接続して、第二検査部Ｔ２に流れる電流を検出する事により第一検査部Ｔ1の絶縁不良の有無を検出できる。即ち、第一電流検出手段４及び第二電流検出手段５のいずれか一方又は両方は、図１，図２Ａ及び図２Ｂにおいて、電源手段３と各第二検査部Ｔ２の分岐点との間に接続してもよい。この場合も、第一電流検出手段４及び第二電流検出手段５が検出した電流データは、制御手段９に送られる。
【０１１２】
本発明の技術的範囲は、添付の特許請求の範囲の記載によって定められる。
【図面の簡単な説明】
【０１１３】
【図１】図１は、本発明に係る絶縁検査装置の一例の概略構成図を示す。
【図２Ａ】図２Ａは、図１の選出手段による第一検査部と第二検査部の組み合わせの一例を示す図であり、スイッチ群ＳＷｓの内の一番上の配線パターンＰ1が第一検査部Ｔ1として選出され、配線パターンＰ2〜Ｐ5が第二検査部Ｔ2として選出されている様子を示している。
【図２Ｂ】図２Ａは、図１の選出手段による第一検査部と第二検査部の組み合わせの一例を示す図であり、配線パターンＰ4が第一検査部Ｔ1として選出され、配線パターンＰ1〜Ｐ3，Ｐ5が第二検査部Ｔ2として選出されている様子を示している。
【図３】図３は、図１の判定手段の機能を示す概略構成図である。
【図４】図４は、良品及び不良品の回路基板に於ける電流値の変化を示すグラフである。ここで、二点破線は基準値Ａを示している。
【図５Ａ】図５Ａは、良品及び不良品の回路基板に於ける電流値の変化を示すグラフである。
【図５Ｂ】図５（Ｂ）は、図５Ａで示される電流値の差分を示している。ここで、２本の一点破線は許容範囲を示している。
【図６】図６は、良品及び不良品の回路基板に於ける電流値の変化を示すグラフである。ここで、時刻ｔ1，ｔ2に於ける変化の様子を示す。
【図７】図７は、図１の絶縁検査装置で実行される検査方法を示すフローチャートである。
【符号の説明】
【０１１４】
１：絶縁検査装置、  ２：選出手段、  ３：電源手段、  ４：第一電流検出手段、  ５：第二電流検出手段、  ６：電圧検出手段、  ７：判定手段、  ８：表示手段、  ９：制御手段、  １０：記憶手段
Ｐ：配線パターン、  ＳＷ：スイッチ、  ＳＷｓ：スイッチ群、  Ｔ1：第一検査部、  Ｔ2：第二検査部、  ＣＰ：コンタクトピン
【図１】
2007139797.tif 000003
【図２Ａ】
2007139797.tif 000004
【図２Ｂ】
2007139797.tif 000005
【図３】
2007139797.tif 000006
【図４】
2007139797.tif 000007
【図５Ａ】
2007139797.tif 000008
【図５Ｂ】
2007139797.tif 000009
【図６】
2007139797.tif 000010
【図７】
2007139797.tif 000011